(57)【要約】【課題】市販のリップスティックに容易に装着することができ、かつリップスティックの携帯性を損なわない口紅塗布補助具を提供する。【解決手段】口紅塗布補助具１０を、一端に紅筆１４を有する棒状体１６と、棒状体１６の他端を支持する支持体１２で構成し、支持体１２をキャップ３８の内奥に装着したときに紅筆１４がキャップ３８の開口端より外側に位置するようにした。キャップ３８の外側に露出した紅筆１４を使用して口紅３６を唇に塗布することができる。リップスティック３０を携帯するときには、口紅３６を下降させて内ケース３４の中に紅筆１４の収納スペースを確保すれば、口紅塗布補助具１０を装着したままキャップ３８を閉じることができる。【選択図】図３
0003153086.tif 000002
【実用新案登録請求の範囲】
【請求項１】
リップスティックのキャップの内側に装着する口紅塗布補助具であって、一端に紅筆を有する棒状体と、前記棒状体の他端を固定する支持体を含み、前記支持体を前記キャップの内奥に装着したときに前記紅筆が前記キャップの開口端より外側に位置することを特徴とする口紅塗布補助具。
【請求項２】
前記棒状体が連続する少なくとも２つの棒状部材をスライドさせることで伸縮自在であり、前記棒状体を伸ばしたときに前記紅筆が前記キャップの開口端より外側に位置することを特徴とする請求項１に記載の口紅塗布補助具。
【請求項３】
前記棒状体が、前記支持体に固定される第１の棒状部材と、前記第１の棒状部材とスライド可能に連続し、一端に前記紅筆を有する第２の棒状部材と、前記第１の部材と前記第２の部材を離反する方向に付勢するばねを含み、前記第１の部材と前記第２の部材が前記ばねの弾性力によって離反した状態にあるときに前記紅筆が前記キャップの開口端より外側に位置することを特徴とする請求項１に記載の口紅塗布補助具。
【考案の詳細な説明】
【技術分野】
【０００１】
本考案は、リップスティックの口紅を唇に塗布するための口紅塗布補助具に関する。
【背景技術】
【０００２】
リップスティックは、扱いやすく携帯性に優れた口紅塗布具として多くの女性に愛用されている。リップスティックは一般に本体部とキャップで構成され、本体部に備わる円筒形の内ケースにスティック状の口紅が納められている。内ケースを回すと、口紅の先端部分が内ケースから露出するようになっており、使用者は露出した部分を唇に塗布する。
【０００３】
リップスティックには、内ケースを最後まで回しても口紅の後端部分が内ケースの中に残るものがある。内ケースの中に残った口紅は、内ケースのへりが邪魔をして直接唇に塗ることはできないで、紅筆を使うなどして間接的に塗らざるを得ない。
【０００４】
このようなリップスティックを外出先で使用するためには、リップスティックの他に紅筆を携帯しなければならないが、これらを別々に持ち運ぶのは煩雑であり、また、紅筆を紛失したり置き忘れたりするなどのミスが発生しやすい。このような事情に鑑みて、紅筆をリップスティックに一体化するための技術がいくつか提案されている。
【先行技術文献】
【特許文献】
【０００５】
【特許文献１】特開２００５−２１８８２１号公報
【特許文献２】特開平８−１４０７３３号公報
【考案の概要】
【考案が解決しようとする課題】
【０００６】
特許文献１にはリップスティックのキャップの外側に紅筆を装着したものが開示されているが、リップスティックの外側に大きくはみ出した紅筆がリップスティック本来の利点である携帯性を損なっている。特許文献２にはキャップの外側に設けた溝に紅筆を嵌め込むようにしたものが開示されている。特許文献１のものとは異なり、紅筆がリップスティックの外側に大きくはみ出すことはないので携帯性が損なわれることはないが、市販のリップスティックのように溝が設けられていないリップスティックには適用することができない。
【０００７】
本考案は、従来技術に存在するこれらの課題を解決するものであり、市販のリップスティックに容易に装着することができ、かつリップスティックの携帯性を損なわない口紅塗布補助具を提供することを目的としている。
【課題を解決するための手段】
【０００８】
本考案は、リップスティックのキャップの内側に装着する口紅塗布補助具であって、一端に紅筆を有する棒状体と、前記棒状体の他端を支持する支持体を含み、前記支持体を前記キャップの内奥に装着したときに前記紅筆が前記キャップの開口端より外側に位置することを特徴とする。
【０００９】
キャップに口紅塗布補助具が装着されたリップスティックでは、キャップが紅筆の柄の役割を担い、使用者はキャップを手に持って紅筆を取り扱う。口紅を内ケースの奥まで下降させると内ケースの中に紅筆の収納スペースが確保できるので、口紅塗布補助具を装着したままキャップを閉じることができる。
【００１０】
紅筆は、一旦付着させた口紅を唇に塗布する機能を有するものであればよく、多数の毛を束ねた穂を有するものには限られず、その構造、形状および材質は問わない。
【００１１】
支持体には棒状体が抜け落ちたりぐらついたりしない程度に棒状体を支持することができるだけの剛性が要求される。素材としては例えば樹脂または金属を用いることができる。樹脂製であれば、使用者自身がキャップの内径に応じた形状に容易に成形することができる。
【００１２】
棒状体は使用中の紅筆がぶれない程度の剛性を有していればよく、素材としては支持体と同様に樹脂または金属を用いることができる。 樹脂製であれば容易に切断することができるので、キャップの奥行きや内ケースの奥行きに応じた長さに調節することができる。
【００１３】
支持体は、支持体に設けた孔に棒状体の他端を挿入することで棒状体を支持することができる。この場合、孔の径を小さ目にしておけば、棒状体が容易に抜け落ちたりぐらついたりしないように支持することができる。孔に形成した雌ねじと棒状体に形成した雄ねじを螺着させるようにすれば着脱がさらに容易である。
【００１４】
支持体は、両面テープや接着剤を用いることでキャップの内奥に容易に装着することができる。このような接着媒体を使用しない方法として、外周がキャップの内周面に外周が押し付けられて固定されるような形状に支持体を成形するという方法もある。支持体は取り外して再利用することも可能であるが、予め支持体を複数個用意しておき、一度装着したものはキャップとともに破棄し、比較的高価な紅筆だけを再利用するようにしてもよい。なお、支持体と棒状体は予め一体化されたものであってもよく、それぞれが独立したものに限定されない。
【００１５】
棒状体を、少なくとも２つの棒状部材をスライド可能に連続させることで伸縮自在に構成すると、紅筆の使用後に棒状体を縮めることができるので、収納スペースに乏しいリップスティックであっても紅筆が収納できるようになる。
【００１６】
さらに、２つの棒状部材を互いに離反する方向に付勢するばねを付加すると、キャップを閉めたときに縮んでいた棒状体がキャップを外したときにばねの弾性力によって自動的に伸びるので、棒状体を伸ばす手間が省け、また伸ばすときに紅筆に手や指が触れて汚れる心配がなくなる。
【考案の効果】
【００１７】
本考案の口紅塗布補助具は、市販のリップスティックのキャップの内側に装着することができるので、リップスティックの携帯性を損なわず、紅筆を紛失したり置き忘れたりすることがなくなる。
【図面の簡単な説明】
【００１８】
【図１】口紅塗布補助具の側面図
【図２】棒状体の側面図（一部に断面図を含む）
【図３】キャップを外した状態のリップスティックの側面図
【図４】キャップを閉めた状態のリップスティックの側面図
【考案を実施するための形態】
【００１９】
図１に口紅塗布補助具を示す。口紅塗布補助具１０は支持体１２と、一端に紅筆１４を有する棒状体１６で構成されている。支持体１２は円形の板状体であり、表裏に貫通する孔１８が円の中心に設けられている。孔１８の周囲にはリブ２０が設けられている。孔１８には棒状体１６の他端が挿入されている。孔１８の内径は棒状体１６の他端の外径より少し小さくなっている。このようにすることで接着剤等を用いなくても棒状体１６と支持体１２を固定することができ、必要に応じて棒状体１６を抜き取って支持体１２と分離することができる。
【００２０】
棒状体１６は、連続する第１の棒状部材２２と第２の棒状部材２４で構成されている。第２の棒状部材２４は第１の棒状部材２２の内部に挿嵌され、第１の棒状部材２２に対してスライド自在である。第２の棒状部材２４をスライドさせることによって棒状体１６の全長を調整することができる。
【００２１】
図２に棒状体の構造を示す。第１の棒状部材２２は内部の構造を分かりやすくするために断面図で示している。第１の棒状部材２２の内部は空洞２６になっている。この空洞２６は第１の棒状部材２２の一端側で開口しており、この開口に第２の棒状部材２４が装着されている。第１の棒状部材２２の内部には圧縮ばね２６が装着されている。第２の棒状部材２４は圧縮ばね２８の弾性力によって第１の棒状部材２２から離反する方向に付勢されている。棒状体１６は外力が作用しない状態において圧縮ばね２８の弾性力によって最大の全長となる。
【００２２】
図３に口紅塗布補助具を装着したリップスティックを示す。リップスティック３０の本体部３２には、上端が開口した円筒状の内ケース３４が備わっている。内ケース３４にはスティック状の口紅３６が収納されている。キャップ３８の内側には口紅塗布補助具１０が装着されている。支持体１２はキャップ３８の内奥部に両面テープ４０で接着されている。棒状体１６は全長が最も伸びた状態にあり、一端に設けられた紅筆１４がキャップ３８の開口端より外側に位置している。
【００２３】
使用を重ねて短くなった口紅３６は内ケース３４の上端から露出しなくなっている。このように内ケース３４の内側に完全に収まっている口紅３６を直接唇に塗布することは不可能であるが、キャップ３８に装着された口紅塗布補助具１０を使用することによって、紅筆１４に付けた口紅３６を唇に塗ることができる。
【００２４】
図４にキャップを閉じたリップスティックを示す。キャップ３８を閉じるときには、口紅３６を下降させて内ケース３４の内側に紅筆１４の収納スペースを確保する必要がある。十分なスペースを確保できず、キャップ３８を閉めようとしたときに紅筆１４が口紅３６に接触してしまうようなことがあっても、外力が加わった棒状体１６が縮むことでキャップ３８を閉じることができるようになる。
【００２５】
口紅塗布補助具１０をキャップ３８の内側に装着したリップスティック３０を用いれば、キャップ３８の外側に露出した紅筆１４を使用して口紅３６を唇に塗布することができる。リップスティック３０を携帯するときには、口紅３６を下降させて内ケース３４の中に紅筆１４の収納スペースを確保すれば、口紅塗布補助具１０を装着したままキャップ３８を閉じることができる。これにより、使用者はリップスティック３０と別々に口紅塗布補助具１０を携帯する必要がなくなるので、紅筆１４を紛失したり置き忘れたりすることがなくなる。また、口紅塗布補助具１０を内側に装着したリップスティック３０の外観は装着前と全く変わらないので、美観や携帯性が損なわれることがない。
【符号の説明】
【００２６】
１０  口紅塗布補助具
１２  支持体
１４  紅筆
１６  棒状体
２２  第１の棒状部材
２４  第２の棒状部材
３０  リップスティック
３２  本体部
３４  内ケース
３６  口紅
３８  キャップ
【図１】
0003153086.tif 000003
【図２】
0003153086.tif 000004
【図３】
0003153086.tif 000005
【図４】
0003153086.tif 000006